(57)【要約】【課題】  既設又は新設の電柱に、足場ボルトを容易に着脱できるようにする。【解決手段】  軸線方向に形成される挿入孔２、挿入孔２の周面に軸線方向に沿って形成されるガイド溝３、挿入孔２及びガイド溝３に連通するよう周方向に形成される環状溝４、環状溝４におけるソケット１の開口端部側の壁面に形成される被係止部５、閉塞端部に軸方向に突設される雄ねじ７を備えたソケット１と、軸部１２の先端部に形成される挿入孔２に挿脱可能な挿入端部１２ａ、挿入端部１２ａの周面に径外方向に形成される軸線方向にてガイド溝３に挿脱可能で且つ足場ボルト１０の回動によりガイド溝３から環状溝４内に係入可能な係止体１７、係止体１７における足場ボルト１０の頭部１１側の壁面に突設される被係止部５に係脱可能な係止部１８を備えた足場ボルト１０とで構成する。【選択図】図１
2008075296.tif 000002
【特許請求の範囲】
【請求項１】
電柱の高さ方向に沿って埋設されている複数の埋込みナットに螺着されるソケット（１）と、該各ソケット（１）に着脱可能に係着される足場ボルト（１０）と、ソケット（１）に対する足場ボルト（１０）の係着状態を保持するための係着保持手段とで構成される足場ボルトユニットであって、上記ソケット（１）は、軸線方向に形成される挿入孔（２）と、該挿入孔（２）の周面に軸線方向に沿って形成されるガイド溝（３）と、挿入孔（２）及びガイド溝（３）に連通するよう周方向に形成される環状溝（４）と、該環状溝（４）における、ソケット（１）の開口端部側の壁面に形成される被係止部（５）と、ソケット（１）の閉塞端部に軸方向に突設される、上記埋込みナットに螺脱可能な雄ねじ（７）とを備える一方、上記足場ボルト（１０）は、軸部（１２）の先端部に形成される、挿入孔（２）に挿脱可能な挿入端部（１２ａ）と、該挿入端部（１２ａ）の周面に径外方向に形成される、軸線方向にてガイド溝（３）に挿脱可能で且つ足場ボルト（１０）の回動によりガイド溝（３）から環状溝（４）内に係入可能な係止体（１７）と、該係止体（１７）における、足場ボルト（１０）の頭部（１１）側の壁面に突設される、被係止部（５）に係脱可能な係止部（１８）とを備えることを特徴とする足場ボルトユニット。
【請求項２】
電柱の高さ方向に沿って埋設される複数のソケット（１）と、該各ソケット（１）に着脱可能に係着される足場ボルト（１０）と、ソケット（１）に対する足場ボルト（１０）の係着状態を保持するための係着保持手段とで構成される足場ボルトユニットであって、上記ソケット（１）は、軸線方向に形成される挿入孔（２）と、該挿入孔（２）の周面に軸線方向に沿って形成されるガイド溝（３）と、挿入孔（２）及びガイド溝（３）に連通するよう周方向に形成される環状溝（４）と、該環状溝（４）における、ソケット（１）の開口端部側の壁面に形成される被係止部（５）とを備える一方、上記足場ボルト（１０）は、軸部（１２）の先端部に形成される、挿入孔（２）に挿脱可能な挿入端部（１２ａ）と、該挿入端部（１２ａ）の周面に径外方向に形成される、軸線方向にてガイド溝（３）に挿脱可能で且つ足場ボルト（１０）の回動によりガイド溝（３）から環状溝（４）内に係入可能な係止体（１７）と、該係止体（１７）における、足場ボルト（１０）の頭部（１１）側の壁面に突設される、被係止部（５）に係脱可能な係止部（１８）とを備えることを特徴とする足場ボルトユニット。
【請求項３】
足場ボルト（１０）の挿入端部（１２ａ）及び係止体（１７）を奥行き方向に移動させて、足場ボルト（１０）の係止部（１８）が被係止部（５）から離脱できるよう、ソケット（１）の挿入孔（２）及びガイド溝（３）に、係合解除用逃げ部（６）が形成され、上記係着保持手段は、足場ボルト（１０）の軸部（１２）の中途部周面に形成されるねじ部（１３）と、該ねじ部（１３）に螺合するナット（１４）と、足場ボルト（１０）の軸部（１２）であって、ナット（１４）及び係止体（１７）間に、軸線方向に移動自在に挿通されてソケット（１）の開口端部に当接可能な環状の当接板（１５）と、ナット（１４）及び当接板（１５）間に介挿される弾性部材（１６）とを備えることを特徴とする請求項１又は２に記載の足場ボルトユニット。
【請求項４】
足場ボルト（１０）の挿入端部（１２ａ）及び係止体（１７）を奥行き方向に移動させて、足場ボルト（１０）の係止部（１８）が被係止部（５）から離脱できるよう、ソケット（１）の挿入孔（２）及びガイド溝（３）に、係合解除用逃げ部（６）が形成され、上記係着保持手段は、足場ボルト（１０）の軸部（１２）の中途部周面に径外方向に突設される係止ピン（２０）と、足場ボルト（１０）の軸部（１２）であって、係止ピン（２０）及び係止体（１７）間に、係止ピン（２０）が係脱可能な係合孔（２６）を有して軸線方向に移動自在に挿通されるリング（２５）と、該リング（２５）及び係止体（１７）間に、軸線方向に移動自在に挿通されてソケット（１）の開口端部に当接可能な環状の当接板（１５）と、リング（２５）及び当接板（１５）間に介挿される弾性部材（１６）とを備えることを特徴とする請求項１又は２に記載の足場ボルトユニット。
【発明の詳細な説明】
【技術分野】
【０００１】
本発明は、電柱に取り付けられている足場ボルトの代わりに、容易に着脱できる足場ボルトユニットに関する。
【背景技術】
【０００２】
従来より、電柱には、複数の足場ボルトが、電柱に埋設されたナットに螺着されて予め取り付けられているのが一般的であるが、例えば柱上開閉器の新設や改修工事の際には、高所作業車が使用されており、足場ボルトの使用頻度は少なくなっているのが現状である。足場ボルトが必要な場合と言えば、例えば供給工事での引き込み線新設時と故障修理時や一部の共架工事施工時である。
【０００３】
また、山間部や連絡ルートでは、一度も使用していない足場ボルトもあり、最近では、都市部などで防犯上の観点から電柱に隣接の住宅所有者から撤去の申し出もある。
【０００４】
なお、足場ボルトとして、例えば足を掛ける軸部をゴム系の樹脂被膜で覆って、滑り止め効果を向上させたものが公知になっている（例えば特許文献１）。
【特許文献１】実開平０５−７３２００号公報
【発明の開示】
【発明が解決しようとする課題】
【０００５】
このように、足場ボルトは、使用頻度が少なく、防犯上の観点から、通常は取り外しておき、必要な時に取り付けるようにすればよいということになるのであるが、上記いずれの足場ボルトも、足場ボルトのねじ部と、電柱に埋設された埋込みナットとの螺着によって予め取り付けられているので、足場ボルトを取り外すには、足場ボルトを緩めなければならず、取り外した足場ボルトを再度取り付けるには、足場ボルトを締め付けなければならない。このため、いずれの作業も煩雑で、手間が掛かるという問題がある。
【０００６】
そこで、本発明は、上記問題点を鑑み、既設もしくは新設の電柱に、必要な時のみ使用できるよう、容易に着脱できる足場ボルトユニットを提供することを課題とする。
【課題を解決するための手段】
【０００７】
前記課題を解決するために、本発明に係る足場ボルトユニットは、電柱の高さ方向に沿って埋設されている複数の埋込みナットに螺着されるソケット１と、該各ソケット１に着脱可能に係着される足場ボルト１０と、ソケット１に対する足場ボルト１０の係着状態を保持するための係着保持手段とで構成される足場ボルトユニットであって、上記ソケット１は、軸線方向に形成される挿入孔２と、該挿入孔２の周面に軸線方向に沿って形成されるガイド溝３と、挿入孔２及びガイド溝３に連通するよう周方向に形成される環状溝４と、該環状溝４における、ソケット１の開口端部側の壁面に形成される被係止部５と、ソケット１の閉塞端部に軸方向に突設される、上記埋込みナットに螺脱可能な雄ねじ７とを備える一方、上記足場ボルト１０は、軸部１２の先端部に形成される、挿入孔２に挿脱可能な挿入端部１２ａと、該挿入端部１２ａの周面に径外方向に形成される、軸線方向にてガイド溝３に挿脱可能で且つ足場ボルト１０の回動によりガイド溝３から環状溝４内に係入可能な係止体１７と、該係止体１７における、足場ボルト１０の頭部１１側の壁面に突設される、被係止部５に係脱可能な係止部１８とを備えることを特徴とする。
【０００８】
かかる構成によれば、例えば既設の電柱に埋設されている埋込みナットにソケット１の雄ねじ７を螺着しておけば、該ソケット１の凹部に足場ボルト１０の凸部を係脱するだけでよく、従来のように、足場ボルト１０を緩めたり、締め付けたりすることがなく、着脱に手間がかからない。なお、ソケット１は新設の電柱に埋設することも可能である。
【０００９】
具体的には、ソケット１に足場ボルト１０を取り付ける場合は、ソケット１の挿入孔２に足場ボルト１０の挿入端部１２ａを挿入すると共に、ガイド溝３に係止体１７を挿入した後、足場ボルト１０を回動して係止体１７をガイド溝３から環状溝４に位置させると共に、さらに係止部１８を被係止部５にまで回動させて、係止部１８を被係止部５に係合させる。
【００１０】
一方、ソケット１から足場ボルト１０を取り外す場合は、足場ボルト１０の係止部１８をソケット１の被係止部５から離脱させると共に、係止体１７を環状溝４からガイド溝３に回動させ、ガイド溝３に位置した足場ボルト１０の係止体１７と挿入端部１２ａを、ガイド溝３及び挿入孔２に沿ってソケット１の開口端部側に引き出す。
【００１１】
また、別の本発明に係る足場ボルトユニットは、電柱の高さ方向に沿って埋設される複数のソケット１と、該各ソケット１に着脱可能に係着される足場ボルト１０と、ソケット１に対する足場ボルト１０の係着状態を保持するための係着保持手段とで構成される足場ボルトユニットであって、上記ソケット１は、軸線方向に形成される挿入孔２と、該挿入孔２の周面に軸線方向に沿って形成されるガイド溝３と、挿入孔２及びガイド溝３に連通するよう周方向に形成される環状溝４と、該環状溝４における、ソケット１の開口端部側の壁面に形成される被係止部５とを備える一方、上記足場ボルト１０は、軸部１２の先端部に形成される、挿入孔２に挿脱可能な挿入端部１２ａと、該挿入端部１２ａの周面に径外方向に形成される、軸線方向にてガイド溝３に挿脱可能で且つ足場ボルト１０の回動によりガイド溝３から環状溝４内に係入可能な係止体１７と、該係止体１７における、足場ボルト１０の頭部１１側の壁面に突設される、被係止部５に係脱可能な係止部１８とを備えることを特徴とする。
【００１２】
かかる構成によれば、例えば新設の電柱に、その開口端部が電柱の直径線上に且つ周面に位置するよう、ソケット１を埋設しておけば、外観が良好になると共に、作業現場においては、足場ボルト１０のみの着脱作業になるので、電柱における作業がより一層しやすくなる。
【００１３】
また、本発明に係る足場ボルトユニットは、足場ボルト１０の挿入端部１２ａ及び係止体１７を奥行き方向に移動させて、足場ボルト１０の係止部１８が被係止部５から離脱できるよう、ソケット１の挿入孔２及びガイド溝３に、係合解除用逃げ部６が形成され、上記係着保持手段は、足場ボルト１０の軸部１２の中途部周面に形成されるねじ部１３と、該ねじ部１３に螺合するナット１４と、足場ボルト１０の軸部１２であって、ナット１４及び係止体１７間に、軸線方向に移動自在に挿通されてソケット１の開口端部に当接可能な環状の当接板１５と、ナット１４及び当接板１５間に介挿される弾性部材１６とを備えるような構成を採用することもできる。
【００１４】
かかる構成によれば、当接板１５をソケット１の開口端部に当接した状態で、ソケット１の挿入孔２に足場ボルト１０の挿入端部１２ａを挿入すると共に、ガイド溝３に係止体１７を挿入した後、足場ボルト１０の軸部１２を弾性部材１６の弾性力に抗してソケット１の閉塞端部側に押し込み、係止体１７を環状溝４に回動させ、係止部１８を被係止部５に位置させる。そして、足場ボルト１０の軸線方向の押圧を解除すると、弾性部材１６の弾性力によって係止部１８がソケット１の開口端部側に付勢されて、係止部１８が被係止部５に当接して係合した状態に保持される。さらに、ナット１４を少し締め付けると、さらに弾性部材１６が圧縮されて係止部１８の係合状態が保持され、足場ボルト１０がソケット１に確実に固定されて水平支持されるようになる。
【００１５】
一方、係止部１８の係合状態を解除する場合は、まず、足場ボルト１０の軸部１２を、弾性部材１６の弾性力に抗してソケット１の閉塞端部側に押し込み、ソケット１の挿入孔２及びガイド溝３に形成された係合解除用逃げ部６に、足場ボルト１０の挿入端部１２ａ及び係止体１７を移動させ、係止部１８を被係止部５から離脱させて、係合解除状態にする。そして、上記と同様に係止体１７を、環状溝４からガイド溝３に回転移動させると、足場ボルト１０の軸部１２が弾性部材１６によってソケット１の開口端部側に付勢されるので、この付勢力によって、足場ボルト１０がソケット１の開口端部側に押し戻されることになる。つまり、足場ボルト１０をソケット１から容易に取り出せるようになる。
【００１６】
このように、係止体１７の形成された足場ボルト１０に、ナット１４、当接板１５及び弾性部材１６を設けることで、ソケット１に対する足場ボルト１０の取り付け及び取り外しがワンタッチで行えるようになる。
【００１７】
また、本発明に係る足場ボルトユニットは、足場ボルト１０の挿入端部１２ａ及び係止体１７を奥行き方向に移動させて、足場ボルト１０の係止部１８が被係止部５から離脱できるよう、ソケット１の挿入孔２及びガイド溝３に、係合解除用逃げ部６が形成され、上記係着保持手段は、足場ボルト１０の軸部１２の中途部周面に径外方向に突設される係止ピン２０と、足場ボルト１０の軸部１２であって、係止ピン２０及び係止体１７間に、係止ピン２０が係脱可能な係合孔２６を有して軸線方向に移動自在に挿通されるリング２５と、該リング２５及び係止体１７間に、軸線方向に移動自在に挿通されてソケット１の開口端部に当接可能な環状の当接板１５と、リング２５及び当接板１５間に介挿される弾性部材１６とを備えるような構成を採用することもできる。
【００１８】
かかる構成によれば、足場ボルト１０の押圧解除によって、係止部１８の係合状態が保持された後、続いて、係止ピン２０に対向するリング２５の対向面を係止ピン２０に当接するだけで、弾性部材１６が圧縮されて係止部１８の係合状態が保持されるようになる。
【００１９】
一方、リング２５に形成された係合孔２６に係止ピン２０を係合させるだけで、弾性部材１６の圧縮状態が緩和されて、係止部１８の係合状態が解除可能になる。つまり、この場合も上記と同様に、ソケット１に対する足場ボルト１０の取り付け及び取り外しがワンタッチで行えるようになる。
【発明の効果】
【００２０】
以上の如く、本発明によれば、足場ボルトの軸部に形成された径外方向の係止体と、電柱に埋め込まれた埋込みナットに螺着される、或いは電柱に埋設されるソケットに形成された被係止部との係合によって、足場ボルトを取り付けるようにしたので、足場ボルトの取り付け及び取り外しが簡単に行え、足場ボルトの取付作業の効率が大幅に改善されると共に、必要な時のみ簡単に取り付けできる効果がある。
【発明を実施するための最良の形態】
【００２１】
以下、本発明の実施形態に係る足場ボルトユニットについて、添付図面（図１〜図３）を参照しつつ説明する。
（実施形態１）
まず、本実施形態１の足場ボルトユニットは、図１（イ）、（ロ）に示すように、電柱の周面に対して軸線が略水平になるよう設けられるソケット１と、該ソケット１に着脱可能に係着される足場ボルト１０とから構成されている。
【００２２】
ソケット１は、図１（イ）に示すように、略有底筒状を呈しており、後述する足場ボルト１０の軸部１２の先端部（挿入端部１２ａ）が挿脱できるよう、中央部に軸線方向に沿って形成される断面円形状の挿入孔２と、該挿入孔２の開口端部の近傍に形成された環状の当接凹部２ａと、挿入孔２の周面に、等間隔（例えば１２０度の間隔）に軸線方向に沿って形成される細長いガイド溝３と、挿入孔２及びガイド溝３に連通するよう周方向に形成される環状溝４と、該環状溝４における、ソケット１の開口端部側の壁面に形成される被係止部（係合溝）５と、ソケット１の挿入孔２及びガイド溝３に、その奥行き方向に沿って形成される係合解除用逃げ部６と、ソケット１の閉塞端部に軸方向に突設される雄ねじ７とを備えている。そして、ソケット１は、その開口端部が電柱の直径線の延長線上に位置するよう、例えば既設の電柱に埋設されている複数の埋込みナットに雄ねじ７が螺着されて取り付けられる。また、新設の電柱にソケット１を埋設する場合は、雄ねじ７はあってもなくてもよい。
【００２３】
足場ボルト１０は、図１（ロ）に示すように、アルミ合金製で軽量化が図られており、六角形状の頭部１１と、該頭部１１に基端部が一体化された軸部１２と、軸部１２の先端部に形成される、ソケット１の挿入孔２に挿脱可能な挿入端部１２ａと、軸部１２の中途部に形成されたねじ部１３と、該ねじ部１３に螺合したナット１４と、軸部１２の中途部よりも先端部側に挿通された移動自在の当接板（ワッシャ）１５と、ナット１４及び当接板１５間に設けられた弾性部材（圧縮バネ）１６と、該挿入端部１２ａの周面に、ソケット１のガイド溝３に対応した位置に径外方向に形成される複数の係止体１７と、該係止体１７の上記頭部１１側の壁面に突設される、被係止部５に係脱可能な係止部１８とが設けられている。そして、足場ボルト１０は、その頭部１１がソケット１の軸線の延長線上に位置するよう、ソケット１に係着される。なお、足場ボルト１０の係止体１７は、形状は限定されるものではなく、半円形、非円形いずれであってもよい。また、係止体１７の個数も限定されるものではなく、単数であってもよく、複数であってもよい。要は、ソケット１に対して係止体１７が確実に係合できればよい。
【００２４】
そして、足場ボルト１０の軸部１２は、足を載せられる程度の長さを有し、その周面に凹凸状の滑り止め１２ｂが形成されている。また、人の体重を支持できる強度を充分に持っている。係止体１７は、フック形状を呈しており、係止体１７の上面は、ソケット１の環状溝４に係入できて、ガイド溝３を円滑に移動できるような円弧面に形成され、係止体１７の左右の側面及び先端部側の端面は、平坦面に形成されている。係止体１７の頭部側の端面は、ソケット１の被係止部５に係合する楔形状の係止部１８が形成されている。係止部１８を楔形状とした理由としては、係合状態をより確実なものとするためである。
【００２５】
つぎに使用態様について説明する。まず、ソケット１に足場ボルト１０を係着する場合は、ソケット１の挿入孔２に足場ボルト１０の挿入端部１２ａを挿入すると共に、ガイド溝３に足場ボルト１０の係止体１７を挿入し、さらに、当接板１５をソケット１の当接凹部２ａの壁面に当接させ、この状態で、足場ボルト１０の軸部１２を弾性部材１６の付勢に抗してソケット１の閉塞端部側に押し込み、係止体１７を環状溝４に位置させる。その後、係止体１７が環状溝４の壁面に沿うよう、押し込んだ状態の足場ボルト１０の軸部１２を回動させ、係止部１８を被係止部５に位置させて、足場ボルト１０の押圧を解除する。そうすると、弾性部材１６の弾性力によって係止部１８がソケット１の開口端部側に付勢されて、係止部１８が被係止部５に係合する。
【００２６】
つぎに、ソケット１から足場ボルト１０を取り外す場合は、足場ボルト１０の軸部１２を、弾性部材１６の付勢力に抗してソケット１の閉塞端部側、即ち係合解除用逃げ部６側に押圧すると共に、係止体１７を被係止部５から離脱させる。この状態で、係止体１７を環状溝４に沿って上記とは逆方向に回動してガイド溝３に位置させ、足場ボルト１０の軸部１２を、弾性部材１６の放勢力によってソケット１の開口端部から突出させて外部に引き出す。
【００２７】
そして、作業開始時に足場ボルト１０をソケット１に取り付けながら昇柱し、作業終了時に、取り付けた足場ボルト１０をソケット１から取り外しながら降柱する。
【００２８】
このように本実施形態１によれば、ナット１４の少しの正逆方向の回動（２〜３回転程度）によって、係止部１８の係合状態を保持・解除をできるため、足場ボルト１０の取り付け、取り外しが簡単に行える。
【００２９】
（実施形態２）
つぎに実施形態２につき、図４（イ）、（ロ）を参照して説明する。同図において、図１〜図３と同一符号は同一もしくは相当するものを示し、異なる点は、足場ボルト１０の軸部１２の中途部の周面に複数の係止ピン２０を径外方向に形成し、該係止ピン２０が係脱可能な係合孔２６を有するリング２５を、係止ピン２０と当接板１５との間に挿通した点である。
【００３０】
リング２５は、係止ピン２０との対向面に、係止ピン２０が係脱可能な係合孔２６が形成され、該係合孔２６は、弾性部材１６の圧縮状態を解除できるよう、且つ該解除によって足場ボルト１０の係止部１８を被係止部５の係合解除用逃げ部６に移動できるような深さに形成されている。
【００３１】
そして、足場ボルト１０を取り付ける場合は、係止ピン２０を係合孔２６に係合させた状態で、即ち弾性部材１６が伸張された状態で、当接板１５をソケット１の開口端部に当接し、該当接板１５が当接した状態のまま、足場ボルト１０の軸部１２を弾性部材１６の付勢力に抗して押し込み、挿入端部１２ａを挿入孔２の奥行き方向に沿って挿入すると共に、係止体１７をガイド溝３の奥行き方向に沿って挿入し、係止体１７を環状溝４に沿って回動し、係止部１８を被係止部５に係合させ、リング２５を回動させて係止ピン２０をリング２５の対向面に当接させる（ロック）。一方、足場ボルト１０を取り外す場合は、当接板１５をソケット１の開口端部に当接した状態で、リング２５を上記とは逆方向に回動させ、リング２５の係合孔２６を係止ピン２０に係合させ、弾性部材１６を伸張状態にする。この際、足場ボルト１０の挿入端部１２ａが係合解除用逃げ部６に移動され、係止体１７が被係止部５から離脱する（ロック解除）。そして、上記と同様、足場ボルト１０をソケットから引き出す。
【００３２】
このように本実施形態２によれば、リング２５を９０度だけ回転させるだけで、係止部１８の係合状態を保持・解除をできて、足場ボルト１０の取り付け、取り外しがより簡単になる。
【００３３】
（その他の実施形態）
なお、本発明は、上記いずれの実施形態に限定されるものではなく、本発明の要旨を逸脱しない範囲で種々の変更が可能である。
【００３４】
例えば、図５（イ）、（ロ）に示すように、足場ボルト１０の軸部１２において、弾性部材１６を圧縮させる位置にロック用孔３０を形成すると共に、該圧縮を解除する位置にロック解除用孔３１を形成し、貫通孔３３が径方向に形成されたリング３２を足場ボルト１０の軸部１２に挿通し、リング３２の貫通孔３３、足場ボルト１０のロック用孔３０の上方からピン３４を挿通するようにしてもよい。
【００３５】
そして、リング３２をロック解除用孔３１に位置させた状態において、ピン３４を、リング３２の貫通孔３３、足場ボルト１０のロック解除用孔３１に貫通させ、この状態で足場ボルト１０をソケット１に挿入する。つぎに、足場ボルト１０の係止部１８を、ソケット１の被係止部１８に係合させ、この状態において、ピン３４を引き抜いて、リング３２をロック用孔３０に移動させて、ピン３４を、リング３２の貫通孔３３、足場ボルト１０のロック用孔３０に貫通させ、ソケット１に対する足場ボルト１０の係合状態を保持する。
【００３６】
また、前記各実施形態１，２のいずれの場合も、足場ボルト１０の係止部１８を、楔形状としたが、図６（イ）、（ロ）に示すように、突条の係止部１８ａ又は凸部からなる係止部１８ｂであってもよい。
【００３７】
さらに、前記各実施形態１，２のいずれの場合も、ソケット１の閉塞端部に雄ねじを突設するようにし、既設の電柱の埋込ナットに螺着、又は新設の電柱に埋設するようにしたが、図７に示すように、外周面にねじ溝１ａが形成されたソケット１を、新設の電柱の埋込ナットに螺着するようにしてもよい。但し、この場合の埋込ナットの内径寸法は、係合される足場ボルト１０の強度を確保できるよう、既設の電柱の埋込ナットの内径寸法よりも大きくなっているものとする。
【図面の簡単な説明】
【００３８】
【図１】本発明の実施形態１に係る足場ボルトユニットを示し、（イ）はソケットの平面図、（ロ）は足場ボルトの平面図である。
【図２】ソケットと足場ボルトとの係合部位の概略斜視図である。
【図３】（イ）は、係止部と被係止部との係合状態を示す平面断面図、（ロ）は、図３（イ）の側面断面図である。
【図４】（イ）は本発明の実施形態２に係る足場ボルトユニットの足場ボルトを示した平面図、（ロ）は図４（イ）の側面断面図である。
【図５】足場ボルトユニットの他の形態を示す図である。
【図６】（イ）は、突条の係止部を示した図、（ロ）は、係止体からなる係止部を示した図である。
【図７】ソケットの変形例を示した図である。
【符号の説明】
【００３９】
１…ソケット、１ａ…ねじ溝、２…挿入孔、２ａ…当接凹部、３…ガイド溝、４…環状溝、５…被係止部、６…係合解除用逃げ部、７…雄ねじ、１０…足場ボルト、１１…頭部、１２…軸部、１２ａ…挿入端部、１２ｂ…滑り止め、１３…ねじ部、１４…ナット、１５…当接板、１６…圧縮バネ（弾性部材）、１７…係止体、１８、１８ａ、１８ｂ…係止部、２０…係止ピン、２５…リング、２６…係合孔、３０…ロック用孔、３１…ロック解除用孔、３２…リング、３３…貫通孔、３４…ピン
【図１】
2008075296.tif 000003
【図２】
2008075296.tif 000004
【図３】
2008075296.tif 000005
【図４】
2008075296.tif 000006
【図５】
2008075296.tif 000007
【図６】
2008075296.tif 000008
【図７】
2008075296.tif 000009